(57)【特許請求の範囲】
【請求項１】
壁軸組（８０）の屋内側に内壁パネル等の壁構成部材（９０）を固定するための固定金具（１）であって、前記壁軸組（８０）の屋内側に配設される金具本体（２）と、前記金具本体（２）を前記壁軸組（８０）に止め付けるための止め付け部材（３）と、前記壁構成部材（９０）を前記金具本体（２）に押し付け固定するための押し付け部材（４）とを備え、前記金具本体（２）は、前記壁軸組（８０）に設置する屋外側設置部（２０）と、前記壁構成部材（９０）を設置する屋内側設置部（２１）と、これら屋外側設置部（２０）と屋内側設置部（２１）とを連結する連結部（２２）とを備え、前記止め付け部材（３）は、前記金具本体（２）の屋外側設置部（２０）よりも屋内側に配された基端部（３０）と、この基端部（３０）から屋外方向に延出されて、隣接する壁軸組（８０）（８０）間の縦目地部（８２）若しくは壁軸組（８０）の貫通穴に挿通される挿通部（３１）と、この挿通部（３１）の先端部分に形成されて、前記壁軸組（８０）の屋外側に係止可能とされた係止部（３２）とを備え、前記金具本体（２）に対して前記止め付け部材（３）が屋内外方向に移動可能に配され、前記金具本体（２）の屋外側設置部（２０）と前記止め付け部材（３）の基端部（３０）との間に、前記金具本体（２）を前記壁軸組（８０）に止め付けた状態において、前記金具本体（２）を屋外方向に付勢するとともに、前記止め付け部材（３）を屋内方向に付勢するバネ部材（５）が介装され、前記押し付け部材（４）は、前記金具本体（２）の前記屋内側設置部（２１）を貫通して、前記止め付け部材（３）の前記基端部（３０）のボルト穴（３３）に螺合された固定ボルト（４０）と、この固定ボルト（４０）の頭部（４１）に着脱可能に取り付けられて、前記壁構成部材（９０）を屋外方向に押圧する押さえプレート（４２）とを備えていることを特徴とする壁構成部材の固定金具。
【請求項２】
前記金具本体（２）は、略コ字枠状に形成され、前記バネ部材（５）は、前記金具本体（２）の枠内に収容されている請求項１記載の壁構成部材の固定金具。
【請求項３】
前記金具本体（２）の屋外側設置部（２０）に、前記固定ボルト（４０）の先端部分が挿通可能とされたボルト逃がし穴（２５）が形成されている請求項１又は２に記載の壁構成部材の固定金具。
【請求項４】
前記金具本体（２）の屋内側設置部（２１）に着脱可能に装着されて、前記屋内側設置部（２１）と前記壁構成部材（９０）との間に介在されるふかし部材（６０）を備えた請求項１乃至３のいずれかに記載の壁構成部材の固定金具。
【請求項５】
請求項１乃至４のいずれかに記載の固定金具（１）を用いて、壁軸組（８０）の屋内側に壁構成部材（９０）を固定した固定構造であって、前記壁軸組（８０）の屋内側に配設した前記金具本体（２）を、前記止め付け部材（３）によって前記壁軸組（８０）に止め付けて、前記バネ部材（５）の付勢力を利用して前記金具本体（２）の屋外側設置部（２０）と前記止め付け部材（３）の係止部（３２）とで前記壁軸組（８０）を挟持し、前記壁軸組（８０）の屋内側に建て込んだ前記壁構成部材（９０）を、前記押し付け部材（４）によって前記金具本体（２）に押し付け固定したことを特徴とする壁構成部材の固定構造。
【発明の詳細な説明】
【技術分野】
【０００１】
この発明は、住宅等の建物の内壁部において、壁軸組の屋内側に内壁パネル等の壁構成部材を固定するための固定金具及びこれを用いた壁構成部材の固定構造に関する。
【背景技術】
【０００２】
従来より、住宅等の内壁部において壁軸組の屋内側に内壁パネルを固定するための固定金具として、例えば特許文献１及び特許文献２に開示されているものが知られている。この固定金具７０は、図１３及び図１４に示すように、隣接する壁軸組８０、８０における隣り合う軸柱８１、８１の屋内側に配設される金具本体７１と、この金具本体７１の屋外側（裏面）に取り付けられたバネ部材７２と、金具本体７１の屋内側に嵌合可能とされたふかし部材７３と、金具本体７１を軸柱８１、８１に止め付けるための止め付け部材７４と、隣接する内壁パネル９０、９０における隣り合う縦枠材９１、９１を金具本体７１に嵌合したふかし部材７３に押し付け固定するための押し付け部材７５とを備えている。
【０００３】
そして、この固定金具７０を使用して、壁軸組８０の屋内側に内壁パネル９０を固定するには、まず止め付け部材７４を、隣接する壁軸組８０、８０における隣り合う軸柱８１、８１間の縦目地部８２に挿通させながら、金具本体７１を、軸柱８１、８１における屋内側の内側面にバネ部材７２を介して押し付ける。そして、この状態から金具本体７１を９０度回転させて、止め付け部材７４の係止部７６を縦目地部８２の屋外側開口端に係止させることで、金具本体７１を壁軸組８０、８０に止め付ける。このとき、バネ部材７２の弾性復帰力によって止め付け部材７４が屋内方向に付勢されて、止め付け部材７４の係止部７６が縦目地部８２の屋外側開口端にしっかりと押し付けられることで、止め付け部材７４の係止状態が維持され、金具本体７１の脱落が防止される。続いて、内壁パネル９０を壁軸組８０の屋内側に建て込んだ状態で、金具本体７１に螺合してある押し付け材７５の固定ボルト７７を締め付けることで、隣接する内壁パネル９０、９０における隣り合う縦枠材９１、９１をふかし部材７３に押し付け固定する。これにより、内壁パネル９０が固定金具７０を介して壁軸組８０の屋内側に固定される。
【先行技術文献】
【特許文献】
【０００４】
【特許文献１】特開平１０−２５２１９１号公報
【特許文献２】特開２００３−１９３５９２号公報
【発明の概要】
【発明が解決しようとする課題】
【０００５】
上記の固定金具７０においては、金具本体７１の屋外側に取り付けたバネ部材７２の弾性復帰力によって、止め付け部材７４を屋内方向に付勢して、止め付け部材７４の係止状態を維持することができるものの、バネ部材７２が軸柱８１、８１における屋内側の内側面に直接押し付けられた状態となっているので、金具本体７１を９０度回転させるときに、バネ部材７２によって軸柱８１、８１の塗装等が剥がされて、軸柱８１、８１を傷付けてしまうおそれがあった。
【０００６】
また、バネ部材７２は、止め付け部材７４を屋内方向に付勢するだけでなく、同時に金具本体７１も屋内方向（軸柱８１、８１から離間する方向）に付勢しているので、止め付け状態の金具本体７１が屋内外方向にがたつき易くなるおそれもあった。
【０００７】
さらに、上記の固定金具７０では、金具本体７１における固定ボルト７７の螺合位置が、軸柱８１、８１への設置部分（押し付け部分）に形成されているので、固定ボルト７７を少しでもねじ込み過ぎると、固定ボルト７７の先端部分が金具本体７１よりも屋外側に突出して、軸柱８１、８１に干渉することになり、金具本体７１の回転を阻害してしまう。このため、固定ボルト７７の先端部分が金具本体７１よりも屋外側に突出しないように、固定ボルト７７の出寸法（ねじ込み量）を綿密に管理する必要があり、面倒であった。
【０００８】
そこで、この発明は、上記の不具合を解消して、壁軸組に対して内壁パネル等の壁構成部材を簡単且つ良好に固定することができる固定金具及びこれを用いた壁構成部材の固定構造の提供を目的とする。
【課題を解決するための手段】
【０００９】
この発明の固定金具１は、壁軸組８０の屋内側に内壁パネル等の壁構成部材９０を固定するためのものであって、前記壁軸組８０の屋内側に配設される金具本体２と、前記金具本体２を前記壁軸組８０に止め付けるための止め付け部材３と、前記壁構成部材９０を前記金具本体２に押し付け固定するための押し付け部材４とを備え、前記金具本体２は、前記壁軸組８０に設置する屋外側設置部２０と、前記壁構成部材９０を設置する屋内側設置部２１と、これら屋外側設置部２０と屋内側設置部２１とを連結する連結部２２とを備え、前記止め付け部材３は、前記金具本体２の屋外側設置部２０よりも屋内側に配された基端部３０と、この基端部３０から屋外方向に延出されて、隣接する壁軸組８０、８０間の縦目地部８２若しくは壁軸組８０の貫通穴に挿通される挿通部３１と、この挿通部３１の先端部分に形成されて、前記壁軸組８０の屋外側に係止可能とされた係止部３２とを備え、前記金具本体２に対して前記止め付け部材３が屋内外方向に移動可能に配され、前記金具本体２の屋外側設置部２０と前記止め付け部材３の基端部３０との間に、前記金具本体２を前記壁軸組８０に止め付けた状態において、前記金具本体２を屋外方向に付勢するとともに、前記止め付け部材３を屋内方向に付勢するバネ部材５が介装されていることを特徴とする。
【００１０】
より具体的には、前記金具本体２は、略コ字枠状に形成され、前記バネ部材５は、前記金具本体２の枠内に収容されている。また、前記押し付け部材４は、前記金具本体２の屋内側設置部２１を貫通して、前記止め付け部材３の基端部３０のボルト穴３３に螺合された固定ボルト４０と、この固定ボルト４０の頭部４１に着脱可能に取り付けられて、前記壁構成部材９０を屋外方向に押圧する押さえプレート４２とを備えている。さらに、前記金具本体２の屋外側設置部２０に、前記固定ボルト４０の先端部分が挿通可能とされたボルト逃がし穴２５が形成されている。
【００１１】
さらにまた、前記金具本体２の屋内側設置部２１に着脱可能に装着されて、前記屋内側設置部２１と前記壁構成部材９０との間に介在されるふかし部材６０を備えている。
【００１２】
この発明の壁構成部材の固定構造は、上記の固定金具１を用いて、壁軸組８０の屋内側に壁構成部材９０を固定したものであって、前記壁軸組８０の屋内側に配設した前記金具本体２を、前記止め付け部材３によって前記壁軸組８０に止め付けて、前記バネ部材５の付勢力を利用して前記金具本体２の屋外側設置部２０と前記止め付け部材３の係止部３２とで前記壁軸組８０を挟持し、前記壁軸組８０の屋内側に建て込んだ前記壁構成部材９０を、前記押し付け部材４によって前記金具本体２に押し付け固定したことを特徴とする。
【発明の効果】
【００１３】
この発明の固定金具においては、金具本体の屋外側設置部とこれよりも屋内側に位置する止め付け部材の基端部との間に介装したバネ部材によって、金具本体を屋外方向に付勢する（屋外側設置部を壁軸組の屋内側に押し付ける）とともに、止め付け部材を屋内方向に付勢する（係止部を壁軸組の屋外側に押し付ける）ことで、これら屋外側設置部と係止部とによって壁軸組を挟持した状態で、金具本体を壁軸組に止め付けることができるようになっている。
【００１４】
このため、金具本体の壁軸組への止め付けに際して、バネ部材が壁軸組に干渉せず、バネ部材によって壁軸組を傷付けてしまうといった不具合が生じることがない。特に、略コ字枠状に形成した金具本体の枠内に、バネ部材を収容することによって、壁軸組との干渉を確実に防止することができる。しかも、金具本体を、屋内外方向にがたつきを生じさせることなく、壁軸組に強固に安定した状態で止め付けることができ、この金具本体に対して押し付け固定する壁構成部材の施工状態を良好に維持することができる。
【００１５】
また、押し付け部材の固定ボルトを、金具本体の屋外側設置部よりも屋内側に位置する止め付け部材の基端部のボルト穴に螺合させることで、固定ボルトを十分にねじ込まない限り、その先端部分が金具本体の屋外側設置部よりも屋外側に突出せず、金具本体の壁軸組への止め付けに際して固定ボルトの先端部分が壁軸組に干渉しないことから、固定ボルトの出寸法（ねじ込み量）を綿密に管理しなくても済み、施工性の向上を図ることができる。さらに、固定ボルトの頭部に取り付けた押さえプレートによって、壁構成部材を屋外方向に押圧することで、その押圧面積を広く確保して、固定ボルトの締付力を壁構成部材に効果的に伝達して、壁構成部材を強固に安定した状態で押し付け固定することができる。
【００１６】
さらにまた、金具本体の屋外側設置部にボルト逃がし穴を形成して、固定ボルトの十分なねじ込みを許容（固定ボルトの屋外方向への移動量を大きく確保）することで、例えば厚みや形状等の異なる各種の壁構成部材の押し付け固定を幅広く行うことができ、施工性の向上を図ることができる。
【００１７】
また、金具本体の屋内側設置部に着脱可能なふかし部材を用いることで、壁軸組に対して壁構成部材を大きく離間させた状態で固定させることができ、壁構成部材の固定形態にバリエーションを持たせて、施工性の向上を図ることができる。
【図面の簡単な説明】
【００１８】
【図１】この発明の一実施形態に係る固定金具を用いた内壁パネルの固定構造を示す横断面図である。
【図２】同じくその要部を示す横断面図である。
【図３】固定金具の斜視図である。
【図４】固定金具の正面図である。
【図５】固定金具の側断面図である。
【図６】固定ボルトの頭部への押さえプレートの装着動作を示す斜視図である。
【図７】固定金具の止め付け動作を示す斜視図である。
【図８】固定金具の止め付け動作を示す平面図である。
【図９】内壁パネルの建て込み動作を示す斜視図である。
【図１０】内壁パネルの建て込み動作を示す斜視図である。
【図１１】別の実施形態に係る固定金具を用いた内壁パネルの固定構造を示す横断面図である。
【図１２】ふかし部材を備えた固定金具の斜視図である。
【図１３】従来の固定金具を用いた内壁パネルの固定構造を示す横断面図である。
【図１４】従来の固定金具の斜視図である。
【発明を実施するための形態】
【００１９】
以下、この発明の実施形態を図面に基づいて詳細に説明する。この発明の一実施形態に係る固定金具１は、図１及び図２に示すように、壁軸組８０の屋内側に壁構成部材としての内壁パネル９０を固定するためのものである。
【００２０】
壁軸組８０は、左右一対の軸柱８１、８１及び上弦材、下弦材を方形枠状に組み付けてなる枠体内に、耐力ブレース等を差し渡すことよって構成されている。軸柱８１、８１及び上弦材、下弦材は、例えば溝型鋼からなり、それら開放部分が枠内を向くようにして組み付けられている。そして、複数の壁軸組８０は、横並びに配置されて、隣接する壁軸組８０、８０同士がボルト等によって連結されている。なお、これら壁軸組８０の屋外側には、複数の外壁材８５が横並びに取り付けられる。
【００２１】
内壁パネル９０は、左右一対の縦枠材９１、９１及び複数の横桟材を方形枠状に組み付けなる枠体内に、断熱材９２を屋外側にはみ出るように充填することによって構成されている。縦枠材９１、９１及び横桟材は、例えば木製の角材からなり、縦枠材９１、９１においては、屋内側の角部を切り欠いてなる略Ｌ字状の切欠部９１ａ、９１ａが形成されている。なお、このような切欠部９１ａ、９１ａは、必ずしも形成する必要はない。また、断熱材９２は、例えば容易に変形可能なグラスウールやポリスチレンフォーム等からなり、その左右の側端部９２ａ、９２ａは薄肉状に形成されて、縦枠材９１、９１の屋外側の外側面に張り付けられている。そして、複数の内壁パネル９０は、横並びに配置されて、隣接する内壁パネル９０、９０の隣り合う縦枠材９１、９１（以下、単に「内壁パネル９０、９０の縦枠材９１、９１」と称する。）が、隣接する壁軸組８０、８０の隣り合う軸柱８１、８１（以下、単に「壁軸組８０、８０の軸柱８１、８１」と称する。）に、複数の固定金具１を介して固定されている。なお、これら内壁パネル９０の屋内側には、例えば石膏ボード等からなる複数の内壁材９５が横並びに取り付けられる。
【００２２】
固定金具１は、図３乃至図５に示すように、壁軸組８０、８０の軸柱８１、８１の屋内側に配設される金具本体２と、この金具本体２を軸柱８１、８１に止め付けるための止め付け部材３と、内壁パネル９０、９０の縦枠材９１、９１を金具本体２に押し付け固定するための押し付け部材４とを備えている。
【００２３】
金具本体２は、壁軸組８０、８０の軸柱８１、８１における屋内側の内側面に設置する屋外側設置部２０と、内壁パネル９０、９０の縦枠材９１、９１における屋外側の外側面を設置する屋内側設置部２１と、これら屋外側設置部２０と屋内側設置部２１の他端部同士を連結する連結部２２とを一体に備え、全体的に略コ字枠状に形成されている。これら屋外側、屋内側の設置部２０、２１及び連結部２２の両側端部は、枠内方向へ向けて折り曲げられ、これにより一対のコ字状の補強用リブ２３、２３が構成されて、金具本体２の剛性が高められている。
【００２４】
屋外側設置部２０には、その一端部において開放する第１の凹状切欠２４ａと、他端部において開放する第２の凹状切欠２４ｂが形成されている。また、屋外側設置部２０の中央部付近には、ボルト逃がし穴２５が形成されている。屋内側設置部２１の中央部付近には、ボルト挿通穴２６が形成されている。連結部２３には、その一部を枠内方向へ折り曲げることによって、屋外側及び屋内側の設置部２０、２１に対して略平行に配されたボルト挿通穴２７付きのボルト案内片２８が形成されている。
【００２５】
止め付け部材３は、金具本体２の屋外側設置部２０よりも屋内側（具体的には屋外側設置部２０とボルト案内片２８との間）において、屋外側及び屋内側の設置部２０、２１に対して略平行に配された平板状の基端部３０と、この基端部３０から屋外方向に延出されて、壁軸組８０、８０の軸柱８１、８１間（具体的には軸柱８１、８１のウエブ間）の縦目地部８２に挿通される帯板状の挿通部３１と、この挿通部３１の先端部分に形成されて、軸柱８１、８１の屋外側における縦目地部８２の屋外側開口端に係止可能とされた係止部３２とを一体に備え、金具本体２に対して屋内外方向に移動可能に配されている。
【００２６】
基端部３０には、その中央部付近においてバーリング加工を施すことによって、ボルト穴３３を有する短筒状突起が形成されている。挿通部３１は、金具本体２の屋外側設置部２０における第１の凹状切欠２４ａ内を貫通して屋外方向に延出されており、その長さ寸法が縦目地部８２の奥行き寸法よりも僅かに大きくなっている。係止部３２は、挿通部３１の先端部分を幅広に形成することによって構成されており、その幅寸法が縦目地部８２の幅寸法よりも大きくなっていて、縦向き状態とすることで縦目地部８２に対して挿入させることができ、横向き状態とすることで縦目地部８２の屋外側開口端に係止させることができるようになっている。
【００２７】
そして、金具本体２の屋外側設置部２０と止め付け部材３の基端部３０との間には、バネ部材５が介装されている。このバネ部材５は、例えば金属製の板バネからなり、金具本体２の屋外側設置部２０に重合状態で当接する第１当接片５０と、止め付け部材３の基端部３０に重合状態で当接する第２当接片５１と、これら第１当接片５０と第２当接片５１とを連結する一対の波形状のバネ片５２、５２を一体に備え、金具本体２の枠内に収容された状態となっている。
【００２８】
第１当接片５０の中央部付近には、ボルト逃がし穴５３が形成されている。また、第１当接片５０には、金具本体２の屋外側設置部２０における第２の凹状切欠２４ｂを介して枠外に張り出して、軸柱８１、８１間の縦目地部８２に嵌り込む位置決め片５４が突設されている。なお、位置決め片５４の先端部分は、丸められた状態となっていて、軸柱８１、８１との接触に際して、軸柱８１、８１を傷付けることがないように配慮されている。また、第２当接片５１の中央部付近に形成された嵌合穴には、基端部３０の短筒状突起が嵌り込んだ状態となっている。さらに、一対のバネ片５２、５２間には、ボルト挿通用間隙５５が確保されている。
【００２９】
押し付け部材４は、屋内側から金具本体２の屋内側設置部２１のボルト挿通穴２６及び連結部２２のボルト案内片２８のボルト挿通穴２７に挿通されて、止め付け部材３の基端部３０のボルト穴３３に螺合された固定ボルト４０と、この固定ボルト４０の頭部４１に着脱可能に装着されて、内壁パネル９０、９０の縦枠材９１、９１を屋外方向に押圧する押さえプレート４２とを備えている。
【００３０】
固定ボルト４０は、その頭部４１にドライバー等の工具を係合させるための十字溝４３が形成されていて、工具を使用した回転操作によってボルト穴３３に対するねじ込み量を調整することで、金具本体２及び止め付け部材３に対して屋内外方向に移動可能となっている。また、固定ボルト４０の頭部４１を屋外方向へ押し込むことで、止め付け部材３をバネ部材５の付勢力に抗して屋外方向へ移動させることができるようになっている。この固定ボルト４０の先端部分は、バネ部材５のバネ片５２、５２間のボルト挿通用間隙５５、第１当接片５０のボルト逃がし穴５３及び金具本体２の屋外側設置部２０のボルト逃がし穴２５を通って、金具本体２の屋外側設置部２０よりも屋外側へ突出可能となっている。
【００３１】
押さえプレート４２は、図６に示すように、固定ボルト４０の頭部４１よりも大径の円盤状に形成されていて、その中央部付近には、略Ｔ字状の切れ込み４４を有する段落ち部４５が形成されている。そして、切れ込み４４を利用して固定ボルト４０の頭部４１を段落ち部４５に嵌め込むことで、押さえプレート４２が固定ボルト４０の頭部４１に装着される。これにより、固定ボルト４０の頭部４１の面積が拡大した状態となり、固定ボルト４０の締付力を内壁パネル９０、９０の縦枠材９１、９１に効果的に伝達することができる。
【００３２】
次に、上記構成の固定金具１を使用して、壁軸組８０の屋内側に内壁パネル９０を固定する方法について説明する。まず、隣接する壁軸組８０、８０間に生じる各縦目地部８２に対して、複数の固定金具１を上下方向に間隔をあけて取り付ける。なお、固定金具１としては、後述する内壁パネル９０の建て込みに配慮して、固定ボルト４０の頭部４１から押さえプレート４２を取り外した状態のものが使用されている。
【００３３】
それぞれの固定金具１の取り付けに際しては、図７（ａ）及び図８（ａ）に示すように、止め付け部材３の係止部３２が縦向き状態となるように固定金具１を保持して、その止め付け部材３を屋内側から壁軸組８０、８０の軸柱８１、８１間の縦目地部８２に挿入して、金具本体２の屋外側設置部２０を軸柱８１、８１の屋内側の内側面に当接させる。
【００３４】
この状態で、図８（ｂ）に示すように、固定ボルト４０の頭部４１を屋外方向に押し込むことで、固定ボルト４０が螺合する止め付け部材３を、バネ部材５の付勢力に抗して（バネ部材５を圧縮させながら）屋外方向へ移動させて、止め付け部材３の係止部３２を縦目地部８２の屋外側開口端よりも屋外側へ僅かに突出させる。
【００３５】
続いて、図７（ｂ）及び図８（ｃ）に示すように、この状態から金具本体２を時計周り又は半時計回りに９０度回転させて、固定ボルト４０の頭部４１の押し込みを解除することで、止め付け部材３の横向き状態となった係止部３２を縦目地部８２の屋外側開口端に係止させて、金具本体２を軸柱８１、８１に止め付ける。また、位置決め片５４が縦目地部８２の屋内側開口端に嵌り込んで、金具本体２の回転が規制される。これにより、固定金具１が軸柱８１、８１に跨るようにして取り付けられる。
【００３６】
このとき、バネ部材５は、金具本体２の屋外側設置部２０と止め付け部材３の基端部３０との間に介装されて、金具本体２の枠内に収容された状態となっているので、軸柱８１、８１に干渉することがなく、金具本体２を９０度回転させても、従来のようにバネ部材５によって軸柱８１、８１の塗装等が剥がされて、軸柱８１、８１を傷付けてしまうといった不具合が生じることはない。しかも、固定ボルト４０が螺合されている止め付け部材３の基端部３０は、金具本体２の屋外側設置部２０よりも屋内側に配されていて、固定ボルト４０を十分にねじ込まない限り、その先端部分が金具本体２の屋外側設置部２０よりも屋外側に突出しないことから、従来のように固定ボルト４０の出寸法（ねじ込み量）を綿密に管理しなくても、固定ボルト４０の先端部分を軸柱８１、８１に干渉させずに済み、金具本体２の９０度回転が阻害されることはない。
【００３７】
また、上記の金具本体２の止め付け状態においては、バネ部材５の弾性復帰力によって、金具本体２が屋外方向（屋外側設置部２０を軸柱８１、８１における屋内側の内側面に押し付ける方向）に付勢されるとともに、止め付け部材３が屋内方向（係止部３２を縦目地部８２の屋外側開口端に押し付ける方向）に付勢されていて、金具本体２の屋外側設置部２０と止め付け部材３の係止部３２とによって軸柱８１、８１を挟持するようにして、止め付け部材３の係止状態を維持している。このため、金具本体２は、屋内外方向にがたつきを生じることなく、軸柱８１、８１に強固に安定した状態で止め付けられている。
【００３８】
そして、複数の固定金具１を、上述したように軸柱８１、８１に跨って順次取り付けて、隣接する壁軸組８０、８０間に生じる各縦目地部８２に対して上下方向に間隔をあけて配設した後、これら固定金具１を介して複数の内壁パネル９０を壁軸組８０に固定する。
【００３９】
内壁パネル９０の固定に際しては、図９及び図１０に示すように、その両端部に位置する縦枠材９１、９１の屋外側の外側面を、隣り合う縦目地部８２、８２に配設した複数の固定金具１における金具本体２の屋内側設置部２１に当接させるようにして、内壁パネル９０を壁軸組８０の屋内側に順次建て込む。これにより、一つの固定金具１における金具本体２の屋内側設置部２１に対して、隣接する内壁パネル９０、９０の隣り合う縦枠材９１、９１が設置された状態となる。
【００４０】
このとき、内壁パネル９０、９０の縦枠材９１、９１間に、固定金具１の固定ボルト４０が挟み込まれた状態となっている。また、内壁パネル９０、９０の縦枠材９１、９１間には、切欠部９１ａ、９１ａが向き合うことによって屋内側に開放する凹所９３が上下方向に沿って形成されていて、この凹所９３に固定ボルト４０の頭部４１が配された状態となっている。
【００４１】
この状態で、それぞれの固定ボルト４０の頭部４１に押さえプレート４２を装着した後、ドライバー等の工具を使用して固定ボルト４０をねじ込んで屋外方向へ移動させることで、押さえプレート４２が、内壁パネル９０、９０の縦枠材９１、９１間の凹所９３に収容された状態で、縦枠材９１、９１を屋外方向へ押圧する。このとき、固定ボルト４０の屋外方向へ移動量が大きくなっても、固定ボルト４０の先端部分は、バネ部材５の第１当接片５０のボルト逃がし穴５３及び金具本体２の屋外側設置部２０のボルト逃がし穴２５を通って、縦目地部８２に入り込んでいくことから、支障をきたすことはない。
【００４２】
そして、上記の押さえプレート４２による押圧によって、内壁パネル９０、９０の縦枠材９１、９１が固定金具１の金具本体２の屋内側設置部２１に押し付け固定され、これによって壁軸組８０の屋内側に内壁パネル９０が固定されるようになっている。
【００４３】
また、このような内壁パネル９０の固定に際して、隣接する内壁パネル９０、９０における断熱材９２、９２の側端部９２ａ、９２ａを、固定金具１の金具本体２を包み込むようにして、壁軸組８０、８０の軸柱８１、８１と内壁パネル９０、９０の縦枠材９１、９１との間に生じる隙間に介在させることで、内壁部において断熱材９２を途切れさせることなく連続させて、断熱性を良好に維持するようにしている。
【００４４】
図１１は、別の実施形態に係る固定金具１を用いた内壁パネル９０の固定構造を示している。この固定金具１においては、壁軸組８０に対して内壁パネル９０をより大きく離間させた状態で固定するように、金具本体２に対して着脱可能に装着されて、金具本体２の屋内側設置部２１と内壁パネル９０、９０の縦枠材９１、９１との間に介在されるふかし部材６０を備えている。
【００４５】
このふかし部材６０は、図１２に示すように、金属板を略溝状に折曲形成してなり、金具本体２の屋内側設置部２１に設置される屋外側設置片６１と、内壁パネル９０、９０の縦枠材９１、９１における屋外側の外側面を設置する屋内側設置片６２と、これら屋外側設置片６１と屋内側設置片６２の一端部同士を連結する連結片６３とを一体に備えている。
【００４６】
屋外側設置片６１には、その一部を屋外方向へ切り出してなる係合突起６４が形成され、さらに固定ボルト４０を挿通させるボルト挿通穴６５が形成されている。屋内側設置片６２には、固定ボルト４０を挿通させるボルト挿通穴６６が形成されている。また、金具本体２の屋内側設置部２１には、そのボルト挿通穴２６を囲むように周方向に間隔をあけて３つの係合穴６７ａ、６７ｂ、６７ｃが形成されている。なお、固定ボルト４０としては、上記実施形態の固定ボルト４０よりも長尺なものが使用されている。
【００４７】
そして、ふかし部材６０における屋外側設置片６１のボルト挿通穴６５及び屋内側設置片６２のボルト挿通穴６６に固定ボルト４０を挿通させた状態で、ふかし部材６０の屋外側設置片６１における係合突起６４を、金具本体２の屋内側設置部２１における係合穴６７ａ、６７ｂ、６７ｃに選択的に係合させることで、金具本体２の屋内側設置部２１にふかし部材６０が装着されるようになっている。
【００４８】
ここで、係合突起６４を係合穴６７ａに係合させることで、金具本体２の連結部２２とふかし部材６０の連結片６３とが略同一面上に配された状態となって、ふかし部材６０に対して内壁パネル９０、９０の縦枠材９１、９１の双方が設置可能となり、隣接する内壁パネル９０、９０を双方ともふかすことができるようになっている。また、係合突起６４を係合穴６７ｂ又は係合穴６７ｃに係合させることで、金具本体２の連結部２２とふかし部材６０の連結片６３とが略直交するように配された状態となって、ふかし部材６０に対して内壁パネル９０、９０の縦枠材９１、９１のうちの一方が設置可能となり、他方については金具本体２の屋内側設置部２１に設置して、隣接する内壁パネル９０、９０のうちの一方のみをふかすことができるようになっている。
【００４９】
なお、その他の構成及び作用効果は、上記実施形態と同様であり、図１１及び図１２において、上記実施形態と同様の機能を有する部材については同符号を付してある。
【００５０】
この発明は、上記実施形態に限定されるものではなく、この発明の範囲内で上記実施形態に多くの修正及び変更を加え得ることは勿論である。例えば、この発明の固定金具によって壁軸組の屋内側に固定する壁構成部材としては、内壁パネルだけに限らず、開口部用の枠材や各種の下地材等であっても良い。また、止め付け部材において、その挿通部を壁軸組に形成した貫通穴に挿通させて、その係止部を壁軸組の屋外側に係止させることで、金具本体を壁軸組に止め付けるようにしても良い。
【符号の説明】
【００５１】
１・・固定金具、２・・金具本体、３・・止め付け部材、４・・押し付け部材、５・・バネ部材、２０・・屋外側設置部、２１・・屋内側設置部、２２・・連結部、２５・・ボルト逃がし穴、３０・・基端部、３１・・挿通部、３２・・係止部、３３・・ボルト穴、４０・・固定ボルト、４１・・頭部、４２・・押さえプレート、６０・・ふかし部材、８０・・壁軸組、８２・・縦目地部、９０・・内壁パネル（壁構成部材）
【図１】
0005710169.tif 000002
【図２】
0005710169.tif 000003
【図３】
0005710169.tif 000004
【図４】
0005710169.tif 000005
【図５】
0005710169.tif 000006
【図６】
0005710169.tif 000007
【図７】
0005710169.tif 000008
【図８】
0005710169.tif 000009
【図９】
0005710169.tif 000010
【図１０】
0005710169.tif 000011
【図１１】
0005710169.tif 000012
【図１２】
0005710169.tif 000013
【図１３】
0005710169.tif 000014
【図１４】
0005710169.tif 000015